(57)【特許請求の範囲】
【請求項１】
複数の接地部を有し、これらを切り替える機能を有するステッキ用石突（５）であって、
柱状に形成され、一方の底面および他方の底面に設けられた接地部を備えた石突本体（７）と、
前記石突本体（７）の側面に設けられ、前記石突本体（７）の高さ方向の中点を含み、前記石突本体（７）の高さ方向に延伸する一対の長穴（７ｃ）と、
前記各長穴（７ｃ）の中央に設けられ前記各長穴（７ｃ）の深さを小さくする突起部（７ｄ）と、
第一の端部で前記石突本体（７）の一部を収容し、第二の端部でステッキに固着する収容部（１１）と、
前記各長穴（７ｃ）と係合し、前記石突本体（７）を吊り下げる鍬形状のハンガー（９）と、
前記収容部（１１）に設けられ、前記石突本体（７）の一部が前記収容部（１１）に収容される位置で前記ハンガー（９）をロック状態にするロック機構（１５）と、
前記ハンガー（９）のロック状態が解除された場合、前記石突本体（７）が前記収容部（１１）から完全に進出する位置で前記ハンガー（９）と係止する係止部（１１ｃ）と、を備え、
前記ハンガー（９）のロック状態で、前記ハンガー（９）は、前記各長穴（７ｃ）における前記石突本体（７）の重心よりも接地側に位置する端部で係合すると共に前記石突本体（７）の一方の底面に設けられた接地部が接地可能となる一方、前記ハンガー（９）のロックが解除され、前記石突本体（７）が前記収容部（１１）から進出すると、前記石突本体（７）は、前記ハンガー（９）と前記各長穴（７ｃ）との係合位置を中心に反転し、前記石突本体（７）の他方の底面に設けられた接地部が接地可能となることを特徴とするステッキ用石突。
【請求項２】
前記ロック機構（１５）のロックを解除する解除ボタン（１３）をさらに備えることを特徴とする請求項１記載のステッキ用石突。
【請求項３】
前記石突本体（７）の各底面は、それぞれ硬度の異なる材料で構成されていることを特徴とする請求項１または請求項２記載のステッキ用石突。
【請求項４】
前記石突本体（７）の少なくとも一方の底面は、剣状の突起部（２１ｂ）を備えることを特徴とする請求項１または請求項２記載のステッキ用石突。
【発明の詳細な説明】
【技術分野】
【０００１】
本発明は、切り替え機能を有するステッキ用石突に関する。
【背景技術】
【０００２】
従来から、石突が設けられたステッキが知られている。例えば、特許文献１には、凹凸のある路面や冬期寒冷時でも安定した接地状態でステッキを支持できる石突が開示されている。この石突では、特許文献１の図１に示されるように、台座本体の上部中央に設けられた凹部が、ステッキ本体に嵌着し、空室は球面座を収蔵し、着座本体の凹部にたわみ軸の軸端を止め輪と共に案内する。嵌着縁は球面座の内面に一体に嵌着し、たわみ軸は台座に対して着座の姿勢を路面に追従させる。この構成により、ステッキの接地角度の如何に拘わらず、路面に馴染んで着座の全面を接地できる。これにより、安定した支持力を確保できる上、冬期寒冷時の使用でも、凍結による雪面への追従自由度が狭小化することなく、十分な接地姿勢で雪面に対応することができる。
【先行技術文献】
【特許文献】
【０００３】
【特許文献１】特開平９−２３８７２２号公報
【発明の概要】
【発明が解決しようとする課題】
【０００４】
しかしながら、従来は、ユーザが外出時にステッキを使用し、帰宅後もステッキを使用する場合、石突の汚れを落とすために、石突を拭いたり洗ったりしなければならず、大変面倒であった。履物が外履きと上履きとで使い分けられているように、石突も外出用と室内用とで使い分けることができれば利便性が向上する。しかし、両方の機能を有する石突は存在しなかった。また、２種類の面を切り替える構成が実現できれば、ステッキ用石突の底面を用途に応じて使い分けることが可能となる。
【０００５】
本発明は、このような事情に鑑みてなされたものであり、ステッキ用石突の底面を用途に応じて切り替えることができるステッキ用石突を提供することを目的とする。
【課題を解決するための手段】
【０００６】
（１）上記の目的を達成するために、本発明は、以下のような手段を講じた。すなわち、本発明の切り替え機能を有するステッキ用石突（５）であって、柱状に形成された石突本体（７）と、前記石突本体（７）の側面に設けられ、前記石突本体（７）の高さ方向の中点を含み、前記石突本体（７）の高さ方向に延伸する一対の長穴（７ｃ）と、前記各長穴（７ｃ）の中央に設けられ前記各長穴（７ｃ）の深さを小さくする突起部（７ｄ）と、第一の端部で前記石突本体（７）の一部を収容し、第二の端部でステッキに固着する収容部（１１）と、前記各長穴（７ｃ）と係合し、前記石突本体（７）を吊り下げる鍬形状のハンガー（９）と、前記収容部（１１）に設けられ、前記石突本体（７）の一部が前記収容部（１１）に収容される位置で前記ハンガー（９）をロック状態にするロック機構（１５）と、前記ロック機構（１５）が解除された場合、前記石突本体（７）が前記収容部（１１）から完全に進出する位置で前記ハンガー（９）と係止する係止部（１１ｃ）と、を備え、前記ハンガー（９）のロック状態で、前記ハンガー（９）は前記各長穴（７ｃ）の接地側の端部で係合することを特徴とする。
【０００７】
このように、ハンガー（９）のロック状態で、ハンガー（９）は各長穴（７ｃ）の接地側の端部、すなわち、各長穴（７ｃ）の鉛直下方の位置で係合する一方、ロック機構（１５）が解除された場合、係止部（１１ｃ）が、石突本体（７）が収容部（１１）から完全に進出する位置でハンガー（９）と係止するので、石突本体（７）は、収容部（１１）から完全に進出した位置でハンガー（９）によって吊り下げられることとなる。このとき、石突本体（７）は、各長穴（７ｃ）の鉛直下方の位置でハンガー（９）によって吊り下げられるため、ハンガー（９）に支持される位置が自身の重心よりも低い位置となる。これにより、石突本体（７）は重心がハンガー（９）に支持される位置よりも低くなるような姿勢を採ろうとする。これにより、石突本体（７）が反転し、各底面の上下が入れ替わることとなる。これにより、石突本体（７）の一方の底面と他方の底面とをワンタッチで切り替えることができる。その結果、石突本体（７）の底面を用途に応じて切り替えることができ、例えば、外出時に使用する石突本体（７）の面と、室内で使用する石突本体（７）の面とを使い分けることが可能となる。また、石突本体（７）が反転した後は、ユーザが石突に対して鉛直下方に力を加えることによって、各長穴（７ｃ）の鉛直上方の端部に係合していたハンガー（９）を、突起部（７ｄ）を乗り越えさせて、各長穴（７ｃ）の鉛直下方の端部に係合させると共に、収容部（１１）が石突本体（７）の一部を収容する位置でロック機構（１５）を機能させることが可能となる。
【０００８】
（２）また、本発明のステッキ用石突は、前記ロック機構（１５）のロックを解除する解除ボタン（１３）をさらに備えることを特徴とする。
【０００９】
これにより、ユーザは、ロック機構（１５）のロックを解除することができるので、ワンタッチで石突本体（７）の上下の底面を入れ替えることが可能となる。
【００１０】
（３）また、本発明のステッキ用石突において、前記石突本体（７）の少なくとも一方の底面は、滑り止めを備えることを特徴とする。
【００１１】
これにより、ユーザのステッキ使用時に、ステッキを滑りにくくすることが可能となる。
【００１２】
（４）また、本発明のステッキ用石突において、前記石突本体（７）の各底面は、それぞれ硬度の異なる材料で構成されていることを特徴とする。
【００１３】
このように、石突本体（７）の各底面は、それぞれ硬度の異なる材料で構成されているので、石突本体（７）の底面を用途に応じて切り替えることができる。例えば、硬い材料で構成された底面を外出用に使用する一方、柔らかい材料で構成された底面を室内用で使用することができる。
【００１４】
（５）また、本発明のステッキ用石突において、前記石突本体（７）の少なくとも一方の底面は、剣状の突起部（２１ｂ）を備えることを特徴とする。
【００１５】
このように、石突本体（７）の少なくとも一方の底面は、剣状の突起部（２１ｂ）を備えるので、滑りやすい場所、例えば、凍結した路面であっても、ユーザのステッキ使用時に、ステッキを滑りにくくすることが可能となる。
【００１６】
（６）また、本発明のステッキ用石突は、前記石突本体（７）の側面に、少なくとも一つの発光部（３１ａ）を備えることを特徴とする。
【００１７】
このように、石突本体（７）の側面に、少なくとも一つの発光部（３１ａ）を備えるので、ステッキの存在を認識することが容易となる。このため、自転車や自動車の運転者に対して、ステッキのユーザの存在を認識させ、注意を喚起させることが可能となる。
【００１８】
（７）また、本発明のステッキ用石突において、前記収容部（１１）は、前記石突本体（７）側の面上に消臭機能を有する消臭部（４０）を備えることを特徴とする。
【００１９】
このように、収容部（１１）は、石突本体（７）側の面上に消臭機能を有する消臭部（４０）を備えるので、ユーザが気になる臭いを減らすことが可能となる。例えば、石突本体（７）の底面がゴムで形成されている場合、ゴムの臭いを気にするユーザにとっては、ゴムの臭いを減らすことができるので、使い心地を向上させることが可能となる。
【００２０】
（８）また、本発明のステッキ用石突において、前記石突本体（７）の少なくとも一方の底面は、圧縮されることにより空気の流れを発生させるフイゴ部（５１）と、前記発生した空気の流れによって音を発する吹鳴部（５２）と、を備えることを特徴とする。
【００２１】
このように、圧縮されることにより空気の流れを発生させるフイゴ部（５１）と、発生した空気の流れによって音を発する吹鳴部（５２）と、を備えるので、フイゴ部（５１）が接地する方向に向くように石突本体（７）を切り替えることによって、ステッキを接地させるたびに音を発生させることができる。これにより、ステッキのユーザの存在を認識させ、周囲に対して注意を喚起させることが可能となる。
【００２２】
（９）また、本発明のステッキ用石突において、前記石突本体（７）の少なくとも一方の底面は、スライド可能に連結された複数の舌片部（６１）からなる伸縮式靴ベラ（６０）を備えることを特徴とする。
【００２３】
このように、伸縮式の靴ベラ（６０）を備えるので、ユーザは、石突本体（７）を切り替えるだけで靴ベラを使えるようになる。このため、ユーザの利便性を高めることが可能となる。
【００２４】
（１０）また、本発明のステッキ用石突において、前記石突本体（７）の少なくとも一方の底面は、可撓性を有する材料で形成された吸盤（７０）を備えることを特徴とする。
【００２５】
このように、石突本体（７）の少なくとも一方の底面は、可撓性を有する材料で形成された吸盤（７０）を備えるので、吸盤７０が接地する方向に向くように石突本体７を切り替えることによって、吸盤７０を床に吸着させて、ステッキを自立させることが可能となる。これにより、ユーザがステッキから手を放してもステッキが倒れないこととなり、ユーザの利便性を高めることが可能となる。
【００２６】
（１１）また、本発明のステッキ用石突において、前記石突本体（７）の少なくとも一方の底面は、弾力性を有する材料で形成された支柱（８１）と、弾力性を有する材料で形成され、前記支柱（８１）によって一定の間隔をおいて支持された複数の板状体（８２）と、を備えることを特徴とする。
【００２７】
このように、石突本体（７）の少なくとも一方の底面は、弾力性を有する材料で形成された支柱（８１）と、弾力性を有する材料で形成され、支柱（８１）によって一定の間隔をおいて支持された複数の板状体（８２）と、を備えるので、支柱（８１）および板状体（８２）が接地する方向に向くように石突本体７を切り替えることによって、支柱（８１）および板状体（８２）を接地させることができる。支柱（８１）および板状体（８２）は、弾力性を有する材料で形成されているため、地面や床が傾斜していても、支柱（８１）および板状体（８２）が傾斜角度に応じて屈曲する。その結果、石突本体７の接地部全体で荷重を受けることができ、ステッキのユーザに安定した支持を提供することが可能となる。
【００２８】
（１２）また、本発明のステッキ用石突において、前記石突本体（７）の少なくとも一方の底面は、複数の溝部（９１ａ、９１ｂ）を備えることを特徴とする。
【００２９】
このように、石突本体（７）の少なくとも一方の底面は、複数の溝部（９１ａ、９１ｂ）を備えるので、石突本体（７）を、水気の多い地面や床に当てたとしても、水はけが良く、ステッキが滑ることを防止することが可能となる。
【発明の効果】
【００３０】
本発明によれば、石突本体の一方の底面と他方の底面とをワンタッチで切り替えることができる。
【図面の簡単な説明】
【００３１】
【図１】本実施形態にステッキの全体構成を示す図である。
【図２Ａ】石突の構成要素を示す図である。
【図２Ｂ】石突の構成要素を示す図である。
【図２Ｃ】石突の構成要素を示す図である。
【図２Ｄ】石突の構成要素を示す図である。
【図２Ｅ】石突の構成要素を示す図である。
【図３Ａ】ロック機構がロックした状態を示している。
【図３Ｂ】石突本体７が反転し、各底面の上下が入れ替わった状態を示す図である。
【図３Ｃ】ハンガー９の上端部がロック機構１５によってロックされる様子を示す図である。
【図３Ｄ】ハンガー９の鍬形状の端部が、長穴７ｃ内に設けられている突起部７ｄを乗り越える前の状態（矢印Ａの側）を示すと共に、ハンガー９の鍬形状の端部が、長穴７ｃ内に設けられている突起部７ｄを乗り越えた後の状態（矢印Ｂの側）を示す図である。
【図４Ａ】ロック機構がロックした状態を示している。
【図４Ｂ】石突本体７が反転し、各底面の上下が入れ替わった状態を示す図である。
【図４Ｃ】石突本体７が反転し、各底面の上下が入れ替わった状態を示す図である。
【図４Ｄ】ハンガー９の上端部がロック機構１５によってロックされる様子を示す図である。
【図５Ａ】実施例２に係る石突本体の分解図である。
【図５Ｂ】実施例２に係る石突本体の斜視図である。
【図５Ｃ】実施例２に係る石突本体の斜視図である。
【図５Ｄ】実施例２に係る石突本体の正面図である。
【図５Ｅ】図５Ｄに示す正面図のＡ−Ａ’での断面図である。
【図６Ａ】実施例３に係る石突本体の斜視図である。
【図６Ｂ】実施例３に係る石突本体の斜視図である。
【図６Ｃ】実施例３に係る石突本体の正面図である。
【図６Ｄ】図６Ｃに示す正面図のＡ−Ａ’での断面図である。
【図７Ａ】実施例４に係る収容部の正面図である。
【図７Ｂ】図７Ａに示す正面図のＡ−Ａ’での断面図である。
【図７Ｃ】消臭部の斜視図である。
【図７Ｄ】石突本体７を収容した状態を示す収容部の断面図である。
【図８Ａ】実施例５に係る石突本体の斜視図である。
【図８Ｂ】実施例５に係る石突本体の斜視図である。
【図８Ｃ】実施例５に係る石突本体の斜視図である。
【図８Ｄ】実施例５に係る石突本体の正面図である。
【図８Ｅ】図８Ｄに示す正面図のＡ−Ａ’での断面図である。
【図８Ｆ】図８Ｄに示す正面図のＡ−Ａ’での断面図において、石突本体が変形した状態を示す断面図である。
【図９Ａ】実施例６に係る石突本体の斜視図である。
【図９Ｂ】実施例６に係る石突本体の斜視図である。
【図９Ｃ】実施例６に係る石突本体の正面図である。
【図９Ｄ】図９Ｃに示す正面図のＡ−Ａ’での断面図である。
【図９Ｅ】実施例６に係る石突本体の正面図である。
【図９Ｆ】図９Ｅに示す正面図のＢ−Ｂ’での断面図である。
【図９Ｇ】実施例６に係る石突本体の斜視図である。
【図９Ｈ】実施例６に係る石突本体の斜視図である。
【図１０Ａ】実施例７に係る石突本体の斜視図である。
【図１０Ｂ】実施例７に係る石突本体の斜視図である。
【図１０Ｃ】実施例７に係る石突本体の正面図である。
【図１０Ｄ】図１０Ｃに示す正面図のＡ−Ａ’での断面図である。
【図１１Ａ】実施例８に係る石突本体の斜視図である。
【図１１Ｂ】実施例８に係る石突本体の斜視図である。
【図１１Ｃ】実施例８に係る石突本体の正面図である。
【図１１Ｄ】図１１Ｃに示す正面図のＡ−Ａ’での断面図である。
【図１１Ｅ】実施例８に係る石突本体において、屈曲機構が変形した場合の斜視図である。
【図１１Ｆ】実施例８に係る石突本体において、屈曲機構が変形した場合の斜視図である。
【図１１Ｇ】屈曲機構が変形した場合の断面図である。
【図１２Ａ】実施例９に係る石突本体の斜視図である。
【図１２Ｂ】実施例９に係る石突本体の斜視図である。
【図１２Ｃ】実施例９に係る石突本体の正面図である。
【図１２Ｄ】図１２Ｃに示す正面図のＡ−Ａ’での断面図である。
【図１２Ｅ】実施例９に係る石突本体の溝部を有する側の平面図である。
【発明を実施するための形態】
【００３２】
図１は、本実施形態にステッキの全体構成を示す図である。図１に示すように、このステッキ１は、把持部３および地に接する石突５が設けられている。ユーザは、把持部３を把持しながら、石突５を地面や床について歩行する。
【００３３】
図２Ａ〜図２Ｅは、石突の構成要素を示す図である。図２Ａに示すように、石突本体７は、第１の接地部７ａおよび第２の接地部７ｂを備えている。第１の接地部７ａおよび第２の接地部７ｂは、ゴムや滑りにくい材質で形成されても良いし、滑り止め加工がされていても良い。また、図２Ａに示すように、石突本体７は複数の部品で構成され、第１の接地部７ａおよび第２の接地部７ｂを交換することが可能となっている。
【００３４】
また、第１の接地部７ａと第２の接地部７ｂとの間には、紙面に対して上下方向に延伸する長穴７ｃが設けられている。長穴７ｃは、紙面に向かって奥側にも設けられており、対になっている。長穴７ｃの中央部には、突起部７ｄが設けられている。突起部７ｄは、長穴７ｃの深さを小さくする機能を有している。ハンガー９は、金属で形成され、紙面に対して下側が鍬形状の形状を有している。鍬形状の端部が、石突本体７の長穴７ｃに係合する。
【００３５】
図２Ｂに示すように、収容部１１は、紙面に対して上下に開口し、下側の開口部に石突本体７の一部を収容する。一方、上側の開口部には、ステッキに固着するための固着ねじ１１ａを有する。図２Ｃに示すように、ステッキ固着部１１ｂは、収容部１１の上側の開口部から挿入され、固着ねじ１１ａと共に、収容部１１をステッキに固着する。図２Ｄに示すように、解除ボタン１３、ロック機構１５、スプリング１５ａによってロック機構が構成される。図２Ｅは、収容部１１の断面図である。収容部１１の下側の開口部に石突本体７の一部が収容される。収容部１１の石突本体７の一部を収容する部分の上面には、ハンガー９を係止する係止部１１ｃが設けられている。ハンガー９は、ロック解除状態で収容部１１から進出するが、係止部１１ｃと係止することで進出が一定限度内に規制されている。
【００３６】
図３Ａ〜図３Ｄ、および図４Ａ〜図４Ｄは、本実施形態に係る石突の作用を示す図である。図３Ａおよび図４Ａは、ロック機構がロックした状態を示している。このロック状態では、ハンガー９はロック機構１５によって固定されており、また、ハンガー９の鍬形状の端部は、長穴７ｃのうち、鉛直下方側（接地側）で長穴７ｃと係合している。
【００３７】
ユーザが解除ボタン１３を押すと、ロック機構１５のロックが解除され、石突本体７は、自重で収容部１１から退出する。それと共に、ハンガー９も収容部１１から進出するが、係止部１１ｃによって規制されているため、ハンガー９の上端部が係止部１１ｃに係止した時点でハンガー９の進出は停止する。そして、図３Ａに示したように、ロック状態では、ハンガー９の鍬形状の端部は、長穴７ｃのうち、鉛直下方側（接地側）で長穴７ｃと係合していたが、図３Ｂに示すように、石突本体７が収容部１１から退避すると、石突本体７は、重心の位置がハンガー９によって支持されている位置（支点）よりも高くなり、不安定となる。すなわち、石突本体７は、収容部１１から退避したときに、各長穴７ｃの鉛直下方の位置でハンガー９によって吊り下げられるため、ハンガー９に支持される位置が自身の重心よりも低い位置となる。これにより、石突本体７は重心がハンガー９に支持される位置よりも低くなるような姿勢を採ろうとする。これにより、石突本体７が反転し、各底面の上下が入れ替わることとなる（図３Ｂ、図４Ｂおよび図４Ｃ）。
【００３８】
これにより、石突本体７の一方の底面と他方の底面とをワンタッチで切り替えることができる。その結果、外出時に使用する石突本体の面と、室内で使用する石突本体の面とを使い分けることが可能となる。
【００３９】
次に、ユーザが鉛直上方から鉛直下方の方向に石突５に力を加えると、ハンガー９の上端部がロック機構１５によってロックされるようになる（図３Ｃおよび図４Ｄ）。これが第一段階のロックである。さらにユーザが力を加えると、ハンガー９の鍬形状の端部が、長穴７ｃ内に設けられている突起部７ｄを乗り越えて、長穴７ｃの鉛直下方の端部で係合する。図３Ｄの紙面に向かって左側（矢印Ａの側）は、ハンガー９の鍬形状の端部が、長穴７ｃ内に設けられている突起部７ｄを乗り越える前の状態を示し、図３Ｄの紙面に向かって右側（矢印Ｂの側）は、ハンガー９の鍬形状の端部が、長穴７ｃ内に設けられている突起部７ｄを乗り越えた後の状態を示している。これが第二段階のロックである。これにより、石突本体７の上下を入れ替えた状態を固定し、ステッキを使用することができるようになる。
【実施例１】
【００４０】
実施例１では、石突本体の一方の底面（例えば、接地部７ａ）を硬い材料で構成すると共に、石突本体の他方の底面（例えば、接地部７ｂ）を柔らかい材料で構成する。硬い材料の硬度は、７０°であり、例えば、合成ゴムを用いることができる。また、柔らかい材料の硬度は、５０°であり、例えば、合成ゴムを用いることができる。
【００４１】
実施例１によれば、各底面が、それぞれ硬度の異なる材料で構成されているので、石突本体の底面を用途に応じて切り替えることができる。例えば、硬い材料で構成された底面を外出用に使用する一方、柔らかい材料で構成された底面を室内用で使用することができる。
【実施例２】
【００４２】
実施例２では、石突本体の一方の底面（例えば、接地部７ｂ）に、アイスピック機能を設けた構成を採る。石突本体の他方の底面（例えば、接地部７ａ）は、図３Ｂに示した形態と同様である。図５Ａは、実施例２に係る石突本体の分解図であり、図５Ｂおよび図５Ｃは、実施例２に係る石突本体の斜視図であり、図５Ｄは、実施例２に係る石突本体の正面図であり、図５Ｅは、図５Ｄに示す正面図のＡ−Ａ’での断面図である。
【００４３】
図５Ａ〜図５Ｅに示すように、実施例２に係る石突本体７は、接地部７ａの反対側にアイスピック部２１を備える。アイスピック部２１は、中央に貫通孔２１ａを有しており、ボルト２２ａおよびナット２２ｂによって石突本体７に固定されている。
【００４４】
アイスピック部２１は、硬度の高い金属（例えば、鉄やアルミニウム）で形成されており、剣状の突起部２１ｂを有している。実施例２では、突起部２１ｂが３つ設けられているが、本発明は、これに限定されるわけではない。アイスピック部２１には、腐食防止のため、防錆塗料などを塗布しても良い。また、アイスピック部２１とナット２２ｂとの間に、スペーサとしてのゴムを設けても良い。スペーサの厚さを変えることによって、突起部２１ｂの高さを調整することが可能となる。また、ナット２２ｂの先端にも金属製の突起部を設けても良い。
【００４５】
実施例２によれば、アイスピック部２１を有するので、滑りやすい場所、例えば、凍結した路面であっても、ユーザのステッキ使用時に、ステッキを滑りにくくすることが可能となる。
【実施例３】
【００４６】
実施例３では、石突本体の側面に、少なくとも一つの発光部を備える。図６Ａおよび図６Ｂは、実施例３に係る石突本体の斜視図であり、図６Ｃは、実施例３に係る石突本体の正面図であり、図６Ｄは、図６Ｃに示す正面図のＡ−Ａ’での断面図である。図６Ａ〜図６Ｄに示すように、実施例３では、石突本体７の一方の接地部３１の側面に、ＬＥＤ（Light Emitting Diode）などで構成された複数の発光部３１ａを備えている。石突本体７の他方の底面（例えば、接地部７ａ）は、図３Ｂに示した形態と同様である。
【００４７】
図６Ｄに示すように、発光部３１ａは、バッテリを含む駆動部３１ｂによって電力を供給されて発光する。発光に際しては、発光部３１ａが下側に位置したときに駆動部３１ｂのスイッチが自動的にオンとなるように構成されている。また、図示しないスイッチをユーザが操作することによって発光させても良いし、振動センサを更に設けて、ユーザがステッキを使用している時の振動を検知し、振動を検知した場合にのみ発光するように構成しても良い。なお、発光部３１ａを、蓄光部材で構成しても良い。蓄光部材を用いることによって、昼間の明るい時は光を蓄えておき、暗い場所で光を放つので、駆動部３１ｂは不要となる。
【００４８】
実施例３によれば、石突本体の側面に、少なくとも一つの発光部を備えるので、ステッキの存在を認識することが容易となる。このため、自転車や自動車の運転者に対して、ステッキのユーザの存在を認識させ、注意を喚起させることが可能となる。
【実施例４】
【００４９】
実施例４では、収容部が消臭機能を有する。図７Ａは、実施例４に係る収容部の正面図であり、図７Ｂは、図７Ａに示す正面図のＡ−Ａ’での断面図であり、図７Ｃは、消臭部の斜視図であり、図７Ｄは、石突本体７を収容した状態を示す収容部の断面図である。図７Ａ〜図７Ｄに示すように、実施例４に係る収容部１１は、石突本体７側の面上に消臭機能を有する消臭部４０を備える。消臭部４０は、図７Ｃに示すように、活性炭や柿タンニンを含有するシートを円筒状に形成することで、収容部１１に着脱可能に構成することができる。
【００５０】
実施例４によれば、収容部は、石突本体側の面上に消臭機能を有する消臭部を備えるので、ユーザが気になる臭いを減らすことが可能となる。例えば、石突本体の底面がゴムで形成されている場合、ゴムの臭いを気にするユーザにとっては、ゴムの臭いを減らすことができるので、使い心地を向上させることが可能となる。
【実施例５】
【００５１】
実施例５では、石突本体に音を発する機能を設けた。図８Ａ、図８Ｂおよび図８Ｃは、実施例５に係る石突本体の斜視図であり、図８Ｄは、実施例５に係る石突本体の正面図であり、図８Ｅは、図８Ｄに示す正面図のＡ−Ａ’での断面図である。また、図８Ｆは、図８Ｄに示す正面図のＡ−Ａ’での断面図において、石突本体が変形した状態を示す断面図である。
【００５２】
実施例５では、石突本体７の一方の底面に、圧縮されることにより空気の流れを発生させるフイゴ部５１と、フイゴ部５１で発生した空気の流れによって音を発する吹鳴部５２とを設けた。フイゴ部５１は、気密な空間の体積が変化することによって空気の流れを生み出す。吹鳴部５２は、図８Ｅおよび図８Ｆに示すように、空気弁５２ａと笛５２ｂとから構成される。笛５２ｂは、フイゴ部５１が圧縮させられることにより生ずる空気の流れによって、音を発する。例えば、笛５２ｂは、「ピーピー」という音を発する。空気弁５２ａは、フイゴ部５１の内部に空気を導入させる機能を有し、フイゴ部５１が圧縮されていない場合は開口しており、外部と空気の出入りが可能であるが、フイゴ部５１が圧縮させられると、自動的に閉じて、内部の空気の流出を防止する機能を有する。
【００５３】
ユーザは、石突本体７の向きを切り替えて、フイゴ部５１が接地する方向に向けると、ステッキを接地させることによって、フイゴ部５１が圧縮力を受ける。その結果、フイゴ部５１が空気の流れを発生させ、笛５２ｂから音が発生する。
【００５４】
実施例５によれば、フイゴ部５１が接地する方向に向くように石突本体を切り替えることによって、ステッキを接地させるたびに音を発生させることができる。これにより、ステッキのユーザの存在を認識させ、周囲に対して注意を喚起させることが可能となる。
【実施例６】
【００５５】
実施例６では、石突本体７の一方の底面に、伸縮式の靴ベラを設けた。石突本体の他方の底面（例えば、接地部７ａ）は、図３Ｂに示した形態と同様である。図９Ａ、図９Ｂは、実施例６に係る石突本体の斜視図であり、靴ベラが紙面に対して上側に位置した様子を示している。図９Ｃは、実施例６に係る石突本体の正面図であり、図９Ｄは、図９Ｃに示す正面図のＡ−Ａ’での断面図である。また、図９Ｅは、実施例６に係る石突本体の正面図であり、図９Ｆは、図９Ｅに示す正面図のＢ−Ｂ’での断面図である。また、図９Ｇ、図９Ｈは、実施例６に係る石突本体の斜視図であり、靴ベラが紙面に対して下側に位置した様子を示している。
【００５６】
図９Ａ〜図９Ｈに示すように、実施例６では、石突本体７の底面に、スライド可能に連結された複数の舌片部６１、６１Ａ、６１Ｂ、６１Ｃ、６１Ｄ、６１Ｅからなる伸縮式靴ベラ６０を備える。実施例６では、伸縮式靴ベラ６０を、６つの舌片部６１、６１Ａ、６１Ｂ、６１Ｃ、６１Ｄ、６１Ｅで構成しているが、本発明は、これに限定されるわけではない。舌片部６１Ｅは、２つの連結スライド６１ｅによって、舌片部６１Ｄとスライド可能に連結されている。また、舌片部６１Ｄは、２つの連結スライド６１ｄによって、舌片部６１Ｃとスライド可能に連結されている。また、舌片部６１Ｃは、２つの連結スライド６１ｃによって、舌片部６１Ｂとスライド可能に連結されている。また、舌片部６１Ｂは、２つの連結スライド６１ｂによって、舌片部６１Ａとスライド可能に連結されている。また、舌片部６１Ａは、２つの連結スライド６１ａによって、舌片部６１とスライド可能に連結されている。この様な構成により、伸縮式靴ベラ６０は、伸縮が可能となっている。
【００５７】
図９Ｇおよび図９Ｈに示すように、石突本体７の向きを切り替えて、伸縮式靴ベラ６０を紙面に対して下向きにすると、伸縮式靴ベラ６０を伸ばしたり縮めたりすることが可能となる。
【００５８】
実施例６では、伸縮式の靴ベラを備えるので、ユーザは、石突本体を切り替えるだけで靴ベラを使えるようになる。このため、ユーザの利便性を高めることが可能となる。
【実施例７】
【００５９】
実施例７では、石突本体７の一方の底面に、可撓性を有する材料で形成された吸盤を設けた。石突本体の他方の底面（例えば、接地部７ａ）は、図３Ｂに示した形態と同様である。図１０Ａ、図１０Ｂは、実施例７に係る石突本体の斜視図であり、図１０Ｃは、実施例７に係る石突本体の正面図であり、図１０Ｄは、図１０Ｃに示す正面図のＡ−Ａ’での断面図である。吸盤７０は、ゴムや合成樹脂などの可撓性の材料で構成されており、平滑な床などに吸着し、内部を真空に近い状態にして、気圧の差を利用して吸着する。
【００６０】
実施例７では、石突本体７の少なくとも一方の底面に、吸盤７０を備えるので、吸盤７０が接地する方向に向くように石突本体７を切り替えることによって、吸盤７０を床に吸着させて、ステッキを自立させることが可能となる。これにより、ユーザがステッキから手を放してもステッキが倒れないこととなり、ユーザの利便性を高めることが可能となる。
【実施例８】
【００６１】
実施例８では、石突本体７の一方の底面に、屈曲機構を設けた。石突本体の他方の底面（例えば、接地部７ａ）は、図３Ｂに示した形態と同様である。図１１Ａ、図１１Ｂは、実施例８に係る石突本体の斜視図であり、図１１Ｃは、実施例８に係る石突本体の正面図であり、図１１Ｄは、図１１Ｃに示す正面図のＡ−Ａ’での断面図である。また、図１１Ｅ、図１１Ｆは、実施例８に係る石突本体において、屈曲機構が変形した場合の斜視図であり、図１１Ｇは、屈曲機構が変形した場合の断面図である。
【００６２】
屈曲機構８０は、ゴムや合成樹脂などの弾力性を有する材料で形成された支柱８１と、弾力性を有する材料で形成され、支柱８１によって一定の間隔をおいて支持された複数の板状体８２と、から構成されている。実施例８では、板状体８２は、３つ設けた例を示しているが、本発明は、これに限定されるわけではない。屈曲機構８０は、力を受けるとその力の方向に屈曲する。屈曲の度合いが大きくなると、各板状体８２が当接し、相互に力を受けるため、際限なく屈曲するわけではない。最も大きく屈曲した場合、すべての板状体８２が相互に当接するため、材料の弾性限界の範囲で荷重を支持することが可能である。
【００６３】
実施例８では、石突本体７の一方の底面に、弾力性を有する材料で形成された支柱８１と、弾力性を有する材料で形成され、支柱８１によって一定の間隔をおいて支持された複数の板状体８２と、を備えるので、支柱８１および板状体８２が接地する方向に向くように石突本体７を切り替えることによって、支柱８１および板状体８２を接地させることができる。支柱８１および板状体８２は、弾力性を有する材料で形成されているため、地面や床が傾斜していても、支柱８１および板状体８２が傾斜角度に応じて屈曲する。その結果、石突本体７の接地部全体で荷重を受けることができ、ステッキのユーザに安定した支持を提供することが可能となる。
【実施例９】
【００６４】
実施例９では、石突本体７の一方の底面に、複数の溝部を設けた。石突本体の他方の底面（例えば、接地部７ａ）は、図３Ｂに示した形態と同様である。図１２Ａ、図１２Ｂは、実施例９に係る石突本体の斜視図であり、図１２Ｃは、実施例９に係る石突本体の正面図であり、図１２Ｄは、図１２Ｃに示す正面図のＡ−Ａ’での断面図である。また、図１２Ｅは、実施例９に係る石突本体の溝部を有する側の平面図である。図１２Ａ〜図１２Ｅに示すように、実施例９では、石突本体７の一方の底面に、雨天用接地部９０が設けられている。雨天用接地部９０は、同心円状に設けられた複数の第１の溝部９１ａと、円の中心から放射状に設けられた直線状の複数の第２の溝部９１ｂから構成されている。第２の溝部９１ｂは、石突本体７の側面にまで到達しており、水はけ効果が高められている。
【００６５】
実施例９では、石突本体７の一方の底面に、複数の溝部９１ａ、９１ｂを備えるので、石突本体７を、水気の多い地面や床に当てたとしても、水はけが良く、ステッキが滑ることを防止することが可能となる。
【００６６】
以上説明したように、本実施形態によれば、ハンガー９のロック状態で、ハンガー９は各長穴７ｃの接地側の端部、すなわち、各長穴７ｃの鉛直下方の位置で係合する一方、ロック機構１５が解除された場合、係止部１１ｃが、石突本体７が収容部１１から完全に進出する位置でハンガー９と係止するので、石突本体７は、収容部１１から完全に進出した位置でハンガー９によって吊り下げられることとなる。このとき、石突本体７は、各長穴７ｃの鉛直下方の位置でハンガー９によって吊り下げられるため、ハンガー９に支持される位置が自身の重心よりも低い位置となる。これにより、石突本体７は重心がハンガー９に支持される位置よりも低くなるような姿勢を採ろうとする。これにより、石突本体７が反転し、各底面の上下が入れ替わることとなる。これにより、石突本体７の一方の底面と他方の底面とをワンタッチで切り替えることができる。その結果、外出時に使用する石突本体の面と、室内で使用する石突本体の面とを使い分けることが可能となる。また、石突本体７が反転した後は、ユーザが石突に対して鉛直下方に力を加えることによって、各長穴７ｃの鉛直上方の端部に係合していたハンガー９を、突起部７ｄを乗り越えさせて、各長穴７ｃの鉛直下方の端部に係合させると共に、収容部１１が石突本体７の一部を収容する位置でロック機構１５を機能させることが可能となる。
【符号の説明】
【００６７】
１  ステッキ
３  把持部
５  石突
７  石突本体
７ａ  接地部
７ｂ  接地部
７ｃ  長穴
７ｄ  突起部
９  ハンガー
１１  収容部
１１ｂ  ステッキ固着部
１１ｃ  係止部
１３  解除ボタン
１５  ロック機構
１５ａ  スプリング
２１  アイスピック部
２１ａ  貫通孔
２１ｂ  突起部
２２ａ  ボルト
２２ｂ  ナット
３１  接地部
３１ａ  発光部
３１ｂ  駆動部
４０  消臭部
５１  フイゴ部
５２  吹鳴部
５２ａ  空気弁
５２ｂ  笛
６０  伸縮式靴ベラ
６１  舌片部
６１Ａ  舌片部
６１Ｂ  舌片部
６１Ｃ  舌片部
６１Ｄ  舌片部
６１Ｅ  舌片部
６１ａ  連結スライド
６１ｂ  連結スライド
６１ｃ  連結スライド
６１ｄ  連結スライド
６１ｅ  連結スライド
７０  吸盤
８０  屈曲機構
８１  支柱
８２  板状体
９０  雨天用接地部
９１ａ  第１の溝部
９１ｂ  第２の溝部
【図１】
0006556109.tif 000002
【図２Ａ】
0006556109.tif 000003
【図２Ｂ】
0006556109.tif 000004
【図２Ｃ】
0006556109.tif 000005
【図２Ｄ】
0006556109.tif 000006
【図２Ｅ】
0006556109.tif 000007
【図３Ａ】
0006556109.tif 000008
【図３Ｂ】
0006556109.tif 000009
【図３Ｃ】
0006556109.tif 000010
【図３Ｄ】
0006556109.tif 000011
【図４Ａ】
0006556109.tif 000012
【図４Ｂ】
0006556109.tif 000013
【図４Ｃ】
0006556109.tif 000014
【図４Ｄ】
0006556109.tif 000015
【図５Ａ】
0006556109.tif 000016
【図５Ｂ】
0006556109.tif 000017
【図５Ｃ】
0006556109.tif 000018
【図５Ｄ】
0006556109.tif 000019
【図５Ｅ】
0006556109.tif 000020
【図６Ａ】
0006556109.tif 000021
【図６Ｂ】
0006556109.tif 000022
【図６Ｃ】
0006556109.tif 000023
【図６Ｄ】
0006556109.tif 000024
【図７Ａ】
0006556109.tif 000025
【図７Ｂ】
0006556109.tif 000026
【図７Ｃ】
0006556109.tif 000027
【図７Ｄ】
0006556109.tif 000028
【図８Ａ】
0006556109.tif 000029
【図８Ｂ】
0006556109.tif 000030
【図８Ｃ】
0006556109.tif 000031
【図８Ｄ】
0006556109.tif 000032
【図８Ｅ】
0006556109.tif 000033
【図８Ｆ】
0006556109.tif 000034
【図９Ａ】
0006556109.tif 000035
【図９Ｂ】
0006556109.tif 000036
【図９Ｃ】
0006556109.tif 000037
【図９Ｄ】
0006556109.tif 000038
【図９Ｅ】
0006556109.tif 000039
【図９Ｆ】
0006556109.tif 000040
【図９Ｇ】
0006556109.tif 000041
【図９Ｈ】
0006556109.tif 000042
【図１０Ａ】
0006556109.tif 000043
【図１０Ｂ】
0006556109.tif 000044
【図１０Ｃ】
0006556109.tif 000045
【図１０Ｄ】
0006556109.tif 000046
【図１１Ａ】
0006556109.tif 000047
【図１１Ｂ】
0006556109.tif 000048
【図１１Ｃ】
0006556109.tif 000049
【図１１Ｄ】
0006556109.tif 000050
【図１１Ｅ】
0006556109.tif 000051
【図１１Ｆ】
0006556109.tif 000052
【図１１Ｇ】
0006556109.tif 000053
【図１２Ａ】
0006556109.tif 000054
【図１２Ｂ】
0006556109.tif 000055
【図１２Ｃ】
0006556109.tif 000056
【図１２Ｄ】
0006556109.tif 000057
【図１２Ｅ】
0006556109.tif 000058